(57)【要約】  採点対象者の体格の違いによる影響を受けにくい、身体動作を採点可能な身体動作採点装置を提供する。  採点対象者の身体位置情報を時系列的に取得する身体位置情報取得手段（１１）と、前記取得した身体位置情報における各部の位置を時系列的に認識し、かつ、ある部位を基準として他の部位の位置を相対的に認識する身体部位認識手段（１２）と、前記身体部位認識手段によって認識された身体の部位の位置を、予め準備した比較条件と時系列的に照合して採点する身体動作採点手段（１３）と、採点された結果を表示する採点結果表示手段（１４）とを含むことを特徴とする身体動作採点装置（１）。
2014162787.tif 000002
【特許請求の範囲】
【請求項１】
採点対象者の身体位置情報を時系列的に取得する身体位置情報取得手段と、
前記取得した身体位置情報における各部の位置を時系列的に認識し、かつ、ある部位を基準として他の部位の位置を相対的に認識する身体部位認識手段と、
前記身体部位認識手段によって認識された身体の部位の位置を、予め準備した比較条件と時系列的に照合して採点する身体動作採点手段と、
採点された結果を表示する採点結果表示手段と
を含むことを特徴とする身体動作採点装置。
【請求項２】
前記身体動作採点手段において、前記時系列的に比較した採点は、ある特定の採点のタイミング及び前記特定の採点のタイミングの前後の採点タイミングが決められており、前記特定の採点のタイミング及び前記前後の採点タイミングにおける複数の採点に対し、採点のタイミング毎に重み付をして取得点候補とし、前記複数の取得点候補の中から、予め決められた基準によって一つの取得点候補を得点として採用することを特徴とする請求項１記載の身体動作採点装置。
【請求項３】
前記複数の取得点候補から一つの取得点候補を採用する基準は、複数の取得点候補の中で最も高いものを採用するという基準であることを特徴とする請求項２記載の身体動作採点装置。
【請求項４】
前記身体動作採点手段において、前記身体部位認識手段によって認識された身体の部位の位置を、予め準備した比較条件と時系列的に照合しての採点は、予め準備したお手本のある部位とお手本の別のある部位との位置関係を表した条件データと、前記身体部位認識手段によって認識された身体部位の位置とを照合した採点であり、前記条件データは、条件を満たした場合の得点を含むことを特徴とする請求項１から３のいずれか一項に記載の身体動作採点装置。
【請求項５】
さらに、前記条件データを作成する条件データ作成手段を含み、
前記条件データ作成手段は、
身体の複数の注目点を特定する手段と、
前記複数の注目点の中の二点における位置関係を比較した結果を予め決められた得点と関連付けて条件データに記録する手段とを含む
ことを特徴とする請求項４記載の身体動作採点装置。
【請求項６】
採点対象者の身体位置情報を時系列的に取得する身体位置情報取得手段と、
前記取得した身体位置情報における各部の位置を時系列的に認識し、前記身体部位認識手段によって認識された身体の部位の位置を、予め準備した比較条件と時系列的に照合して採点する身体動作採点手段と、
採点された結果を表示する採点結果表示手段と
を含み、
前記身体動作採点手段において、前記時系列的に比較した採点は、ある特定の採点のタイミング及び前記特定の採点のタイミングの前後の採点タイミングが決められており、前記特定の採点のタイミング及び前記前後の採点タイミングにおける複数の採点に対し、採点のタイミング毎に重み付をして取得点候補とし、前記複数の取得点候補の中から、予め決められた基準によって一つの取得点候補を得点として採用することを特徴とする身体動作採点装置。
【請求項７】
請求項１から５のいずれか一項に記載の身体動作採点装置を含むダンス採点装置。
【請求項８】
請求項１から５のいずれか一項に記載の身体動作採点装置を含むカラオケ装置。
【請求項９】
請求項１から５のいずれか一項に記載の身体動作採点装置を含むゲーム装置。
【発明の詳細な説明】
【技術分野】
【０００１】
本発明は、身体動作採点装置、ダンス採点装置、カラオケ装置及びゲーム装置に関する。
【背景技術】
【０００２】
カラオケ装置等において、単に楽曲に合わせて歌唱するだけでなく、歌唱力を採点して評価するカラオケ装置がある。そして、娯楽性をさらに向上させるために、歌唱力の採点評価に加えて、元歌歌手のダンスの振り付けを手本に歌唱者がダンスをした場合、そのダンスの振り付けを採点する機能を持つカラオケ装置が提案されている（特許文献１）。前記カラオケ装置では、身体のある部位がどのように動いているかをベクトル比較して採点している。
【先行技術文献】
【特許文献】
【０００３】
【特許文献１】特許第３４５２７８３号
【発明の概要】
【発明が解決しようとする課題】
【０００４】
しかしながら、ベクトル比較では、判断対象者の体格等によっては動きが判断できない場合がある。例えば、同じ距離の動きの場合、小さな人物の動きは判断できても、大きな人物の動きは判断できない場合がある。また、特許文献１のカラオケ装置では、動きが正確か否かの採点に限定され、リズム感等のタイミングに関する採点ができなかった。【０００５】
そこで、本発明は、採点対象者の体格の違いによる影響を受けにくい採点をすることが可能な身体動作採点装置の提供を第一の目的とし、動きの正確性の採点に加えてリズム感に関する採点が可能な身体動作採点装置の提供を第二の目的とする。
【課題を解決するための手段】
【０００６】
前記第一の目的を達成するために、本発明の第一の身体動作採点装置は、採点対象者の身体位置情報を時系列的に取得する身体位置情報取得手段と、前記取得した身体位置情報における各部の位置を時系列的に認識し、かつ、ある部位を基準として他の部位の位置を相対的に認識する身体部位認識手段と、前記身体部位認識手段によって認識された身体の部位の位置を、予め準備した比較条件と時系列的に照合して採点する身体動作採点手段と、採点された結果を表示する採点結果表示手段とを含むことを特徴とする。【０００７】
前記第二の目的を達成するために、本発明の第二の身体動作採点装置は、採点対象者の身体位置情報を時系列的に取得する身体位置情報取得手段と、前記取得した身体位置情報における各部の位置を時系列的に認識し、前記身体部位認識手段によって認識された身体の部位の位置を、予め準備した比較条件と時系列的に照合して採点する身体動作採点手段と、採点された結果を表示する採点結果表示手段とを含み、前記身体動作採点手段において、前記時系列的に比較した採点は、ある特定の採点のタイミング及び前記特定の採点のタイミングの前後の採点タイミングが決められており、前記特定の採点のタイミング及び前記前後の採点タイミングにおける複数の採点に対し、採点のタイミング毎に重み付をして取得点候補とし、前記複数の取得点候補の中から、予め決められた基準によって一つの取得点候補を得点として採用することを特徴とする。
【発明の効果】
【０００８】
本発明の第一の身体動作採点装置によれば、採点対象者の体格の違いによる影響を受けにくい採点が可能となる。また、本発明の第二の身体動作採点装置によれば、動作の正確性の採点に加えてリズム感の採点も可能となる。
【図面の簡単な説明】
【０００９】
【図１】図１は、本発明の身体動作採点装置の構成の一例を示すブロック図である。
【図２】図２は、本発明における身体位置情報取得手段の一例を示す図である。
【図３】図３は、本発明における身体位置情報のデータの一例を示す図である。
【図４】図４は、本発明における条件データの生成方法の一例を示すフローチャートである。
【図５】図５は、前記条件データの一例を示す図である。
【図６】図６は、本発明における採点方法の一例を示すフローチャートである。
【図７】図７は、本発明における画像表示の一例を示す図である。
【発明を実施するための形態】
【００１０】
（本発明の対象）
本発明の採点の対象となるのは、特に制限されず、例えば、ダンス及び演劇等の振り付けを伴うもの、ゴルフのスイング及び野球のバッティングのようなスポーツのフォームに関するもの、動物の行動を評価するもの等、様々な身体動作を評価するものに適用することができる。これらの中でも、本発明は、ダンス等の振り付けに適用することが好ましい。
【００１１】
（装置の構成）
図１のブロック図に示すように、本例の身体動作採点装置１は、身体位置情報取得手段１１と、身体部位認識手段１２と、身体動作採点手段１３と、採点結果表示手段１４を必須構成要素として含み、任意要素として、条件データ作成手段１５を含む。なお、本発明では、第一の装置及び第二の装置があるが、第一の装置は、身体動作を相対的にとらえることに特徴があり、第二の装置は、リズム感等のタイミングの判定が可能になることに特徴があり、両者はそれぞれの特徴を組み合わせることができるので、以下、両者をまとめて説明する。
【００１２】
（身体位置情報取得手段）
身体位置情報取得手段は、採点対象者の身体位置情報を時系列的に取得するものであり、例えば、身体位置情報をデジタル情報として取得するカメラ及びセンサー等があげられる。
【００１３】
（身体部位認識手段）
身体部位認識手段は、前記身体位置情報によって取得したデジタルな身体位置情報における各部の位置を時系列的に認識し、かつ、ある部位を基準として他の部位の位置を相対的に認識するものである。このようにすることで、採点対象者の体格の違いに影響を受けにくい採点をすることが可能となる。なお、本発明において、「ある部位を基準として他の部位の位置を相対的に認識する」ことには、角度の相対的な認識も含む。前記身体部位認識手段は、例えば、身体全体をそのままで認識する他、身体部位をモデル化して認識してもよい。身体部位をモデル化して認識した例を図２に示す。図２では、身体の部位を２１か所に分類して認識しており、また、Ｓ−１、Ｓ−２及びＳ−３が肩部Ｓ領域を示し、Ｈ−１、Ｈ−２及びＨ−３がヒップＨ領域を示すように、身体部位をグループ化して領域として認識してもよい。このようなモデル化して認識する手段としては、例えば、マイクロソフト社製の製品名「Kinect」がある。モデル化して認識した身体部位の位置データの例を、図３に示す。図３では、モデル化した身体位置データは、行番号毎に、身体部位、トラッキング情報、X,Y及びZ座標上の位置情報が示されている。なお、前記トラッキング情報とは、センサーまたはカメラから得られる情報で、位置情報の確実性を表し、例えば、確実な場合は「２」とし、推定位置情報を「１」として振り分けることで、得られた身体位置情報の確実性によって位置情報を処理することができる。
【００１４】
（身体動作採点手段）
身体動作採点手段は、前記身体部位認識手段によって認識された身体の部位の位置を、予め準備した比較条件と時系列的に照合して採点する。前記身体動作採点手段において、前記身体部位認識手段によって認識された身体の部位の位置を、予め準備した比較条件と時系列的に照合しての採点は、例えば、予め準備したお手本のある部位とお手本の別のある部位との位置関係を表した条件データと、前記身体部位認識手段によって認識された身体部位の位置とを照合した採点である。このとき、条件データには部位１と部位２を結ぶ直線と部位３と部位４を結ぶ直線の角度を条件として含んでもよい。このように部位の相対位置や相対角度で採点することで、採点対象者の体格の違いによる影響を受けにくい採点が可能となる。前記条件データは、条件を満たした場合の得点を含む。
【００１５】
（条件データ）
前記条件データの位置データとしては、例えば、ある時間（ミリ秒単位）において、ある特定部位（例えば、肩中央）の同じ部位の過去の履歴の軸（X,Y,Z）での大きさの比較であってもよい。前記大きさの比較は、例えば、小さいを「-１」、同じを「０」、大きいを「１」と規定することができる。その他、前記条件データの位置データとしては、例えば、ある特定の部位を結ぶ直線の同じ直線の前の履歴の比較であってもよい。この場合の前記比較は、例えば、平行を「１」と、垂直を「２」としてもよい。そして、条件データの位置データを得点と結びつけ、例えば、採点対象のデータが前記位置データと合致した場合に、得点を加算する。得点は、例えば、１ポイント、１０ポイント、１００ポイントのようにポイント制にしてもよい。
【００１６】
（条件データの自動作成）
前記条件データは、条件データ作成手段１５によって、図３に示すような身体位置データと採点判定すべき時間（以下、単に「判定タイミング」という。）の対の集合から自動作成してもよい。条件データ作成手段１５は、身体の複数の注目点を特定する手段と、前記複数の注目点の中の二点における位置関係を比較した結果を予め決められた得点と関連付けて条件データに記録する手段とを含む。条件データ作成手段１５による条件データの自動作成は、例えば、図４に示すフローチャートに沿った処理により実施される。
【００１７】
（条件データ自動作成のフローチャート）
図４に示すフローチャートにおいて、左手（a）,肩中央（b）、及び右手（c）の３点を注目点とした場合の条件データの自動作成を説明する。この場合、身体位置情報データ（図４では「骨格データ」という）の判定タイミングの数（S=1,2,・・・k,すなわちk個の判定タイミングの数）のそれぞれにつき、a-b,a-c,b-cの３つの組み合わせで比較され、ｘ軸,ｙ軸,ｚ軸の条件データが作成される。
【００１８】
（骨格データループ：S1〜S11）
骨格データループS1〜S11では、判定タイミングの数（S=1,2・・・k）だけ、処理を繰り返す。
【００１９】
（注目点１ループ：S2〜S10）
注目点１ループS2〜S10では、注目点をP=1,2・・・nとした場合、前記の例では、a,b,cの三個なので、n=3となり、Pが1,2,3のときそれぞれa,b,cに対応する。
【００２０】
（注目点１のトラッキング精度の判定：S3）
注目点１のトラッキング精度の判定S3において、Yesの場合は、注目点２のループP’に進み、Noの場合は、P’を飛ばしてS10のPの終点に進んでS2の注目点１ループに戻る。
【００２１】
（注目点２ループ：S4〜S9）
注目点２ループS4〜S9において、P’がP+1、P+2,・・・nとなるので、Pが１の時、P’が２となるので、a-bが比較対象となる。
【００２２】
（注目点２のトラッキング精度の判定：S5）
注目点２のトラッキング精度の判定S5において、Yesの場合は、軸ループA(S6)に進み、Noの場合は、S6を飛ばしてS9のP’の終点に進んでS4の注目点２ループに戻る。
【００２３】
（軸ループ：S6〜S8）
軸ループS6〜S8では、ｘ軸、ｙ軸、及びｚ軸の三軸について、位置関係を比較し（１大、０同じ、−１小）、条件データに追記する。
【００２４】
（条件データの例）
このように自動作成した条件データの例を図５に示す。図５の条件データでは、行番号毎に、判定タイミング（ミリ秒）、比較元身体部位ID、比較先身体部位の過去履歴、比較先身体部位ID、比較軸、大小比較、及び得点が並んでいる。前記比較先身体部位の過去履歴はｘ個前の判定タイミング時の比較先身体部位を表すときに使用するものであり、比較元身体部位と同一判定タイミングでの比較を表すときは０とする。また、前記大小比較は、例えば、小さい場合を「−１」とし、等しい場合を「０」とし、大きい場合を「１」と規定することができる。
【００２５】
（重み付採点）
前記身体動作採点手段において、前記時系列的に比較した採点は、ある特定の採点のタイミング及び前記特定の採点のタイミングの前後の採点タイミングが決められており、前記特定の採点のタイミング及び前記前後の採点タイミングにおける複数の採点に対し、採点のタイミング毎に重み付をして取得点候補とし、前記複数の取得点候補の中から、予め決められた基準によって一つの取得点候補を得点として採用する。このようにすることで、リズム感に関する採点も可能となる。前記複数の取得点候補から一つの取得点を採用する基準は、例えば、複数の取得点候補の中で最も高いものを採用するという基準である。
【００２６】
（重み付採点のフローチャート）
このような重み付を採用した採点を処理するフローチャートを図６に示す。図６は、ある時間における採点処理であり、時間が進むごとに本処理がおこなわれる。処理が行われる時間の周期については特に制限はない。
【００２７】
（条件データｎループ：S1）
条件データｎループS1では、S=1,2,…,nのn個の条件データに対して処理を繰り返す。
【００２８】
（判定タイミングの判断：S2）
判定タイミングの判断S2では、判定を複数回行って、幅を持たせる。例えば、ある特定の判定タイミングの前後２回の条件データの判定タイミングを当該判定タイミングとすれば、合計で、５個（X＝０，１，２，３，４）という幅を持った判定タイミングが設定される。そして、現在の時間が５個の判定タイミングいずれかに該当すれば（Yes）、次のS3に進む。一方、いずれの判定タイミングに該当しない（No）の場合は、S５に進む。
【００２９】
（加点条件の判断:S3）
加点条件の判断S3では、例えば、採点対象者の身体位置情報を条件データと照合して加点条件を満たしているかを判断する。加点する場合（Yes）は、S4に進み、加点しない場合は（No）は、条件データｎループの入り口S1に戻る。
【００３０】
（重み付：S4）
重み付S4では、例えば、正規分布により、条件データn番目の得点に関し、Xにおいて、それぞれ、０が１０％、１が３０％、３が１００％、４が３０％、５が１０％というように、得点に重み付を行う。重み付されたものを取得点候補とする。そして、再度条件データｎループS1に戻る。
【００３１】
（判定タイミングの終了直後の判定：S5）
判定タイミングの判定S2において、５個の判定タイミングが全て終わった場合、判定タイミングではないため（No）、S5に進み、判定タイミング終了直後か判断し、終了直後（Yes）の場合は、S6に進み、終了直後ではない場合（No）、S1に戻る。
【００３２】
（得点の加算：S6）
得点の加算S6において、５個の重み付された取得点候補のうち、最も大きな取得点候補を、得点として加算する。
【００３３】
（採点結果表示）
採点結果は、特に制限されないが、例えば、Good(G)/No Good(NG)の２段階、または、３段階以上の点数もしくはポイント評価等があげられる。採点結果の表示画面は、特に制限されず、例えば、ダンスゲーム及びカラオケ装置等の表示画面に、歌詞又は振り付け指示画像と併せて表示してもよい。その他、採点対象者又は採点者（ダンスの指導者等）の携帯電話、スマートフォン、パーソナルコンピュータ（PC）に採点結果を表示してもよい。
【００３４】
図７に、ダンス採点装置に採点結果を表示する場合の表示画面の一例を示す。本例のダンス採点装置は、カラオケ機能を備えたものであるが、カラオケ機能は、あってもなくてもよい。
【００３５】
図７で示すメイン画面１０１は、お手本画像１０２、振り付けの一連の動作（一連の動作）１０３、判定タイミングを示す表示（四角のフレーム）１０４、総合採点結果表示１０７、ピンポイント採点結果表示１０６、採点対象者画像１０５から構成されている。図７では、振り付け動作１０３は、画面の右から左に流れている。
【００３６】
メイン画面１０１は、例えば、従来のダンス採点装置またはカラオケ装置と同様に背景画像（映像）を映し出しても良いが、アーティストのプロモーションビデオ（ＰＶ）等を映し出すことが好ましく、ダンスミュージックのＰＶ等を映し出すことがより好ましい。また、お手本画像１０２は、特に制限されないが、例えば、歌手、ダンサー等が挙げられる。これにより、実際の歌手、ダンサーなどの表現力を基準として評価することを採点対象者に暗黙的に理解させることができる。
【００３７】
図７に示すように、メイン画面１０１にお手本画像の一連の動作１０３が表示されている。以下、ここでは、メイン画面にダンスミュージックのＰＶが流れており、お手本画像１０２であるダンサーが歌いながらダンスを踊る映像が流れている。採点対象者は、歌いながらダンサーの動きに合わせてダンスをする。採点対象者は、流れてくる振り付け動作１０３が判定タイミングを示す表示１０４に重なる際の前後で採点され、採点対象者の動作がより判定タイミングに合っているときに条件データを満たすことで点数が高く評価される。総合採点結果表示１０７は、例えば、総合得点、基本点、ボーナス点、ランキング等を含んでもよい。前記ランキングを表示するために、本例のダンス採点装置は、例えば、通信手段により随時ランキングを更新できる機能を有していてもよい。また、ここで、ピンポイント採点結果表示１０６に示すように、一つ一つの動作について随時採点結果（同図では「Good」）を表示している。採点対象者の動作は、採点対象者画像１０５としてメイン画面１０１にリアルタイムで表示されており、これにより、採点対象者自身が客観的に自己の動作を確認できる。また、本例のダンス採点装置は、録画機能を有していることが好ましい。
【００３８】
以上、本発明に関し、ダンス採点装置を一例として説明したが、これに限定されず、例えば、本発明は身体動作（ダンス）採点機能付きのカラオケ装置であってもよいし、ゲームであってもよい。前記ゲームとしては、例えば、ダンスゲーム、スポーツゲーム、演劇ゲーム等が挙げられる。これらのゲームにおいて、身体動作を採点して得点を競うことで、娯楽性が向上したり、身体動作のレベルが向上したりする効果がある。
【００３９】
以上、実施形態を参照して本発明を説明したが、本発明は前記実施形態に限定されるものではない。本発明の構成や詳細には、本発明のスコープ内で当業者が理解し得る様々な変更をすることができる。
【００４０】
この出願は、２０１３年４月２日に出願された日本出願特願２０１３−０７７１４４を基礎とする優先権を主張し、その開示の全てをここに取り込む。
【符号の説明】
【００４１】
１          身体動作採点装置
１１        身体位置情報取得手段
１２        身体部位認識手段
１３        身体動作採点手段
１４        採点結果表示手段
１５        条件データ作成手段
１０１      メイン画面
１０２      お手本画像
１０３      振り付けの一連の動作（一連の動作）
１０４      判定タイミングを示す表示（四角のフレーム）
１０５      採点対象者画像
１０６      ピンポイント採点結果表示
１０７      総合採点結果表示
Ｓ：肩部領域
Ｈ：ヒップ領域
【図１】
2014162787.tif 000003
【図２】
2014162787.tif 000004
【図３】
2014162787.tif 000005
【図４】
2014162787.tif 000006
【図５】
2014162787.tif 000007
【図６】
2014162787.tif 000008
【図７】
2014162787.tif 000009
【手続補正書】
【提出日】平成28年11月17日(2016.11.17)
【手続補正１】
【補正対象書類名】特許請求の範囲
【補正対象項目名】全文
【補正方法】変更
【補正の内容】
【特許請求の範囲】
【請求項１】
採点対象者の身体位置情報を時系列的に取得する身体位置情報取得手段と、
前記取得した身体位置情報における各部の位置を時系列的に認識し、かつ、ある部位を基準として他の部位の位置を相対的に認識する身体部位認識手段と、
前記身体部位認識手段によって認識された身体の部位の位置を、予め準備した比較条件と時系列的に照合して採点する身体動作採点手段と、
採点された結果を表示する採点結果表示手段と
を含み、
前記身体動作採点手段において、前記時系列的に比較した採点は、ある特定の採点のタイミング及び前記特定の採点のタイミングの前後の採点タイミングが決められており、前記特定の採点のタイミング及び前記前後の採点タイミングにおける複数の採点に対し、採点のタイミング毎に重み付をして取得点候補とし、前記複数の取得点候補の中から、予め決められた基準によって一つの取得点候補を得点として採用することを特徴とする身体動作採点装置。
【請求項２】
前記複数の取得点候補から一つの取得点候補を採用する基準は、複数の取得点候補の中で最も高いものを採用するという基準であることを特徴とする請求項１記載の身体動作採点装置。
【請求項３】
前記身体動作採点手段において、前記身体部位認識手段によって認識された身体の部位の位置を、予め準備した比較条件と時系列的に照合しての採点は、予め準備したお手本のある部位とお手本の別のある部位との位置関係を表した条件データと、前記身体部位認識手段によって認識された身体部位の位置とを照合した採点であり、前記条件データは、条件を満たした場合の得点を含むことを特徴とする請求項１又は２記載の身体動作採点装置。
【請求項４】
さらに、前記条件データを作成する条件データ作成手段を含み、
前記条件データ作成手段は、
身体の複数の注目点を特定する手段と、
前記複数の注目点の中の二点における位置関係を比較した結果を予め決められた得点と関連付けて条件データに記録する手段とを含む
ことを特徴とする請求項３記載の身体動作採点装置。
【請求項５】
採点対象者の身体位置情報を時系列的に取得する身体位置情報取得手段と、
前記取得した身体位置情報における各部の位置を時系列的に認識する身体部位認識手段と、
前記身体部位認識手段によって認識された身体の部位の位置を、予め準備した比較条件と時系列的に照合して採点する身体動作採点手段と、
採点された結果を表示する採点結果表示手段と
を含み、
前記身体動作採点手段において、前記時系列的に比較した採点は、ある特定の採点のタイミング及び前記特定の採点のタイミングの前後の採点タイミングが決められており、前記特定の採点のタイミング及び前記前後の採点タイミングにおける複数の採点に対し、採点のタイミング毎に重み付をして取得点候補とし、前記複数の取得点候補の中から、予め決められた基準によって一つの取得点候補を得点として採用することを特徴とする身体動作採点装置。
【請求項６】
請求項１から５のいずれか一項に記載の身体動作採点装置を含むダンス採点装置。
【請求項７】
請求項１から５のいずれか一項に記載の身体動作採点装置を含むカラオケ装置。
【請求項８】
請求項１から５のいずれか一項に記載の身体動作採点装置を含むゲーム装置。
【国際調査報告】
2014162787.tif 000010
2014162787.tif 000011
2014162787.tif 000012
2014162787.tif 000013